(57)【要約】本発明は、ランダムアクセスチャネルを送受信する方法を提案する。特に、この方法は、ＲＡＣＨプリアンブルを送信するための特定の帯域幅に関する情報及び前記特定の帯域幅内に割り当てられるＲＡＣＨ周波数リソースの数に関する情報を受信し、前記特定の帯域幅内において前記ＲＡＣＨ周波数リソースの数だけ割り当てられる複数のＲＡＣＨ周波数リソースのうち、少なくとも１つのＲＡＣＨ周波数リソース上で前記ＲＡＣＨプリアンブルを送信することを含み、前記特定の帯域幅は、全体システム帯域幅の一部として設定されることができる。【選択図】 図１５
2020502923.tif 000002
【特許請求の範囲】
【請求項１】
無線通信システムにおいて、端末がランダムアクセスチャネル（Ｒａｎｄｏｍ  Ａｃｃｅｓｓ  Ｃｈａｎｎｅｌ；ＲＡＣＨ）を送信する方法であって、
ＲＡＣＨプリアンブルを送信するための特定の帯域幅に関する情報及び前記特定の帯域幅内に割り当てられるＲＡＣＨ周波数リソースの数に関する情報を受信し、
前記特定の帯域幅内において前記ＲＡＣＨ周波数リソースの数だけ割り当てられる複数のＲＡＣＨ周波数リソースのうち、少なくとも１つのＲＡＣＨ周波数リソース上で前記ＲＡＣＨプリアンブルを送信する、ことを含み、
前記特定の帯域幅は、システム帯域幅全体の一部として設定される、ランダムアクセスチャネル送信方法。
【請求項２】
前記複数のＲＡＣＨ周波数リソースは、前記特定の帯域幅内において最も低い周波数を含むＲＡＣＨ周波数リソースから昇順にインデックスされる、請求項１に記載のランダムアクセスチャネル送信方法。
【請求項３】
前記複数のＲＡＣＨ周波数リソースは、同期信号のための帯域幅の中心周波数を基準としてインデックスされる、請求項１に記載のランダムアクセスチャネル送信方法。
【請求項４】
前記特定の帯域幅のサイズは、同期信号のための帯域幅のサイズより大きい、請求項１に記載のランダムアクセスチャネル送信方法。
【請求項５】
前記複数のＲＡＣＨ周波数リソースのそれぞれは、基地局から前記端末に送信される少なくとも１つの同期信号と関連する、請求項１に記載のランダムアクセスチャネル送信方法。
【請求項６】
前記ＲＡＣＨプリアンブルは、長さ８３９の長いシーケンスを用いる第１のＲＡＣＨプリアンブル又は長さ１３９の短いシーケンスを用いる第２のＲＡＣＨプリアンブルの１つであり、
前記第１のＲＡＣＨプリアンブルのための副搬送波間隔と前記第２のＲＡＣＨプリアンブルのための副搬送波間隔とは、互いに異なる、請求項１に記載のランダムアクセスチャネル送信方法。
【請求項７】
無線通信システムにおいて、ランダムアクセスチャネル（Ｒａｎｄｏｍ  Ａｃｃｅｓｓ  Ｃｈａｎｎｅｌ；ＲＡＣＨ）を送信する端末であって、
基地局と無線信号を送受信するトランシーバと、
前記トランシーバと接続して、前記トランシーバを制御するように構成されたプロセッサと、を含み、
前記プロセッサは、
ＲＡＣＨプリアンブルを送信するための特定の帯域幅に関する情報及び前記特定の帯域幅内に割り当てられるＲＡＣＨ周波数リソースの数に関する情報を受信するように前記トランシーバを制御し、
前記特定の帯域幅内において前記ＲＡＣＨ周波数リソースの数だけ割り当てられる複数のＲＡＣＨ周波数リソースのうち、少なくとも１つのＲＡＣＨ周波数リソース上でＲＡＣＨプリアンブルを送信するように前記トランシーバを制御し、
前記特定の帯域幅は、システム帯域幅全体の一部として設定される、端末。
【請求項８】
前記複数のＲＡＣＨ周波数リソースは、前記特定の帯域幅内において最も低い周波数を含むＲＡＣＨ周波数リソースから昇順にインデックスされる、請求項７に記載の端末。
【請求項９】
前記複数のＲＡＣＨ周波数リソースは、同期信号のための帯域幅の中心周波数を基準としてインデックスされる、請求項７に記載の端末。
【請求項１０】
前記特定の帯域幅のサイズは、同期信号のための帯域幅のサイズより大きい、請求項７に記載の端末。
【請求項１１】
前記複数のＲＡＣＨ周波数リソースのそれぞれは、基地局から前記端末に送信される少なくとも１つの同期信号と関連する、請求項７に記載の端末。
【請求項１２】
前記ＲＡＣＨプリアンブルは、長さ８３９の長いシーケンスを用いる第１のＲＡＣＨプリアンブル又は長さ１３９の短いシーケンスを用いる第２のＲＡＣＨプリアンブルの１つであり、
前記第１のＲＡＣＨプリアンブルのための副搬送波間隔と前記第２のＲＡＣＨプリアンブルのための副搬送波間隔とは、互いに異なる、請求項７に記載の端末。
【請求項１３】
無線通信システムにおいて、基地局がランダムアクセスチャネル（Ｒａｎｄｏｍ  Ａｃｃｅｓｓ  Ｃｈａｎｎｅｌ；ＲＡＣＨ）を受信する方法であって、
端末がＲＡＣＨプリアンブルを送信するための特定の帯域幅に関する情報及び前記特定の帯域幅内に割り当てられるＲＡＣＨ周波数リソースの数に関する情報を送信し、
前記特定の帯域幅内において前記ＲＡＣＨ周波数リソースの数だけ割り当てられる複数のＲＡＣＨ周波数リソースのうち、少なくとも１つのＲＡＣＨ周波数リソース上で前記ＲＡＣＨプリアンブルを受信する、ことを含み、
前記特定の帯域幅は、システム帯域幅全体の一部として設定される、ランダムアクセスチャネル受信方法。
【請求項１４】
無線通信システムにおいて、ランダムアクセスチャネル（Ｒａｎｄｏｍ  Ａｃｃｅｓｓ  Ｃｈａｎｎｅｌ；ＲＡＣＨ）を受信する基地局であって、
端末と無線信号を送受信するトランシーバと、
前記トランシーバと接続して、前記トランシーバを制御するように構成されたプロセッサと、を含み、
前記プロセッサは、
端末がＲＡＣＨプリアンブルを送信するための特定の帯域幅に関する情報及び前記特定の帯域幅内に割り当てられるＲＡＣＨ周波数リソースの数に関する情報を送信するように前記トランシーバを制御し、
前記特定の帯域幅内において前記ＲＡＣＨ周波数リソースの数だけ割り当てられる複数のＲＡＣＨ周波数リソースのうち、少なくとも１つのＲＡＣＨ周波数リソース上でＲＡＣＨプリアンブルを受信するように前記トランシーバを制御し、
前記特定の帯域幅は、システム帯域幅全体の一部として設定される、基地局。
【発明の詳細な説明】
【技術分野】
【０００１】
本発明は、ランダムアクセスチャネルを送受信する方法及びそのための装置に関し、より詳細には、ランダムアクセスチャネルを送受信するための周波数リソースを割り当てて、割り当てられた周波数リソースを介してランダムアクセスチャネルを送受信する方法及びそのための装置に関する。
【背景技術】
【０００２】
時代の流れによってより多くの通信装置がより大きな通信容量を要求することになり、既存のＬＴＥシステムに比べて向上した無線広帯域通信である次世代５Ｇシステムが要求されている。ＮｅｗＲＡＴと呼ばれるこの次世代５Ｇシステムは、Ｅｎｈａｎｃｅｄ  Ｍｏｂｉｌｅ  ＢｒｏａｄＢａｎｄ（ｅＭＢＢ）／Ｕｌｔｒａ−ｒｅｌｉａｂｉｌｉｔｙ  ａｎｄ  ｌｏｗ−ｌａｔｅｎｃｙ  ｃｏｍｍｕｎｉｃａｔｉｏｎ（ＵＲＬＬＣ）／Ｍａｓｓｉｖｅ  Ｍａｃｈｉｎｅ−Ｔｙｐｅ  Ｃｏｍｍｕｎｉｃａｔｉｏｎｓ（ｍＭＴＣ）などに通信シナリオが区分される。
【０００３】
ここで、ｅＭＢＢはＨｉｇｈ  Ｓｐｅｃｔｒｕｍ  Ｅｆｆｉｃｉｅｎｃｙ、Ｈｉｇｈ  Ｕｓｅｒ  Ｅｘｐｅｒｉｅｎｃｅｄ  Ｄａｔａ  Ｒａｔｅ、Ｈｉｇｈ  Ｐｅａｋ  Ｄａｔａ  Ｒａｔｅなどの特性を有する次世代移動通信シナリオであり、ＵＲＬＬＣはＵｌｔｒａ  Ｒｅｌｉａｂｌｅ、Ｕｌｔｒａ  Ｌｏｗ  Ｌａｔｅｎｃｙ、Ｕｌｔｒａ  Ｈｉｇｈ  Ａｖａｉｌａｂｉｌｉｔｙなどの特性を有する次世代移動通信シナリオであり（ｅ．ｇ．，Ｖ２Ｘ、Ｅｍｅｒｇｅｎｃｙ  Ｓｅｒｖｉｃｅ、Ｒｅｍｏｔｅ  Ｃｏｎｔｒｏｌ）、ｍＭＴＣはＬｏｗ  Ｃｏｓｔ、Ｌｏｗ  Ｅｎｅｒｇｙ、Ｓｈｏｒｔ  Ｐａｃｋｅｔ、Ｍａｓｓｉｖｅ  Ｃｏｎｎｅｃｔｉｖｉｔｙの特性を有する次世代移動通信シナリオである（ｅ．ｇ．，ＩｏＴ）。
【発明の概要】
【発明が解決しようとする課題】
【０００４】
本発明は、ランダムアクセスチャネルを送受信する方法及びそのための装置を提供しようとする。
【０００５】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００６】
本発明による実施例によれば、無線通信システムにおいて、端末がランダムアクセスチャネル（Ｒａｎｄｏｍ  Ａｃｃｅｓｓ  Ｃｈａｎｎｅｌ；ＲＡＣＨ）を送信する方法であって、ＲＡＣＨプリアンブルを送信するための特定の帯域幅に関する情報及び前記特定の帯域幅内に割り当てられるＲＡＣＨ周波数リソースの数に関する情報を受信し、前記特定の帯域幅内において前記ＲＡＣＨ周波数リソースの数だけ割り当てられる複数のＲＡＣＨ周波数リソースのうち、少なくとも１つのＲＡＣＨ周波数リソース上で前記ＲＡＣＨプリアンブルを送信することを含み、前記特定の帯域幅は、システム帯域幅全体の一部として設定されることができる。
【０００７】
このとき、前記複数のＲＡＣＨ周波数リソースは、前記特定の帯域幅内において最も低い周波数を含むＲＡＣＨ周波数リソースから昇順にインデックスされることができる。
【０００８】
また、前記複数のＲＡＣＨ周波数リソースは、同期信号のための帯域幅の中心周波数を基準としてインデックスされることができる。
【０００９】
また、前記特定の帯域幅のサイズは、同期信号のための帯域幅のサイズより大きいことができる。
【００１０】
また、前記複数のＲＡＣＨ周波数リソースのそれぞれは、基地局から前記端末に送信される少なくとも１つの同期信号と関連することができる。
【００１１】
また、前記ＲＡＣＨプリアンブルは、長さ８３９の長いシーケンスを用いる第１のＲＡＣＨプリアンブル又は長さ１３９の短いシーケンスを用いる第２のＲＡＣＨプリアンブルのうち１つであり、前記第１のＲＡＣＨプリアンブルのための副搬送波間隔及び前記第２のＲＡＣＨプリアンブルのための副搬送波間隔は互いに異なることができる。
【００１２】
本発明による無線通信システムにおいて、ランダムアクセスチャネル（Ｒａｎｄｏｍ  Ａｃｃｅｓｓ  Ｃｈａｎｎｅｌ；ＲＡＣＨ）を送信する端末であって、基地局と無線信号を送受信するトランシーバと、前記トランシーバと接続して、前記トランシーバを制御するように構成されたプロセッサと、を含み、前記プロセッサは、ＲＡＣＨプリアンブルを送信するための特定の帯域幅に関する情報及び前記特定の帯域幅内に割り当てられるＲＡＣＨ周波数リソースの数に関する情報を受信するように前記トランシーバを制御し、前記特定の帯域幅内において前記ＲＡＣＨ周波数リソースの数だけ割り当てられる複数のＲＡＣＨ周波数リソースのうち、少なくとも１つのＲＡＣＨ周波数リソース上でＲＡＣＨプリアンブルを送信するように前記トランシーバを制御し、前記特定の帯域幅は、システム帯域幅全体の一部として設定されることができる。
【００１３】
このとき、前記複数のＲＡＣＨ周波数リソースは、前記特定の帯域幅内において最も低い周波数を含むＲＡＣＨ周波数リソースから昇順にインデックスされることができる。
【００１４】
また、前記複数のＲＡＣＨ周波数リソースは、同期信号のための帯域幅の中心周波数を基準としてインデックスされることができる。
【００１５】
また、前記特定の帯域幅のサイズは、同期信号のための帯域幅のサイズより大きいことができる。
【００１６】
また、前記複数のＲＡＣＨ周波数リソースのそれぞれは、基地局から前記端末に送信される少なくとも１つの同期信号と関連することができる。
【００１７】
また、前記ＲＡＣＨプリアンブルは、長さ８３９の長いシーケンスを用いる第１のＲＡＣＨプリアンブル又は長さ１３９の短いシーケンスを用いる第２のＲＡＣＨプリアンブルのうち１つであり、前記第１のＲＡＣＨプリアンブルのための副搬送波間隔及び前記第２のＲＡＣＨプリアンブルのための副搬送波間隔は互いに異なることができる。
【００１８】
本発明の実施例による無線通信システムにおいて、基地局がランダムアクセスチャネル（Ｒａｎｄｏｍ  Ａｃｃｅｓｓ  Ｃｈａｎｎｅｌ；ＲＡＣＨ）を受信する方法であって、端末がＲＡＣＨプリアンブルを送信するための特定の帯域幅に関する情報及び前記特定の帯域幅内に割り当てられるＲＡＣＨ周波数リソースの数に関する情報を送信し、前記特定の帯域幅内において前記ＲＡＣＨ周波数リソースの数だけ割り当てられる複数のＲＡＣＨ周波数リソースのうち、少なくとも１つのＲＡＣＨ周波数リソース上で前記ＲＡＣＨプリアンブルを受信することを含み、前記特定の帯域幅は、システム帯域幅全体の一部として設定されることができる。
【００１９】
本発明による無線通信システムにおいて、ランダムアクセスチャネル（Ｒａｎｄｏｍ  Ａｃｃｅｓｓ  Ｃｈａｎｎｅｌ；ＲＡＣＨ）を受信する基地局であって、端末と無線信号を送受信するトランシーバと、前記トランシーバと接続して、前記トランシーバを制御するように構成されたプロセッサと、を含み、前記プロセッサは、端末がＲＡＣＨプリアンブルを送信するための特定の帯域幅に関する情報及び前記特定の帯域幅内に割り当てられるＲＡＣＨ周波数リソースの数に関する情報を送信するように前記トランシーバを制御し、前記特定の帯域幅内において前記ＲＡＣＨ周波数リソースの数だけ割り当てられる複数のＲＡＣＨ周波数リソースのうち、少なくとも１つのＲＡＣＨ周波数リソース上でＲＡＣＨプリアンブルを受信するように前記トランシーバを制御し、前記特定の帯域幅は、システム帯域幅全体の一部として設定されることができる。
【発明の効果】
【００２０】
本発明によれば、ランダムアクセスチャネルを送信するための周波数リソースを効率的に割り当てて、これに関する情報をＵＥに指示することができる。
【００２１】
本発明で得られる効果は以上に言及した効果に制限されず、言及しなかった他の効果は下記の記載から本発明が属する当該技術分野における当業者に明確に理解されるであろう。
【図面の簡単な説明】
【００２２】
【図１】３ＧＰＰ無線接続網の規格に基づく端末とＥ−ＵＴＲＡＮの間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）構造を示す図である。
【図２】３ＧＰＰシステムに用いられる物理チャネル及びこれらを用いた一般的な信号送信方法を説明する図である。
【図３】ＬＴＥシステムで用いられる無線フレームの構造を例示する図である。
【図４】従来のＬＴＥ／ＬＴＥ−Ａシステムにおけるランダムアクセスプリアンブルフォーマットを例示する図である。
【図５】Ｎｅｗ  ＲＡＴシステムにおいてＲＡＣＨリソースを設定（Ｃｏｎｆｉｇｕｒａｔｉｏｎ）する方法を説明するための図である。
【図６】ＴＸＲＵとアンテナ要素の接続方法の一例を示す図である。
【図７】自己完備型（Ｓｅｌｆ−ｃｏｎｔａｉｎｅｄ）サブフレーム構造の一例を示す図である。
【図８】ＲＡＣＨを送信するための周波数リソースを割り当てるための方法を説明するための図である。
【図９】ＲＡＣＨを送信するための周波数リソースを割り当てるための方法を説明するための図である。
【図１０】ＲＡＣＨを送信するための周波数リソースを割り当てるための方法を説明するための図である。
【図１１】ＲＡＣＨを送信するための周波数リソースを割り当てるための方法を説明するための図である。
【図１２】ＲＡＣＨを送信するための周波数リソースを割り当てるための方法を説明するための図である。
【図１３】ＲＡＣＨを送信するための周波数リソースを割り当てるための方法を説明するための図である。
【図１４】ＲＡＣＨを送信するための周波数リソースを割り当てるための方法を説明するための図である。
【図１５】ＲＡＣＨを送信するための周波数リソースを割り当てるための方法を説明するための図である。
【図１６】ＲＡＣＨを送信するための周波数リソースを割り当てるための方法を説明するための図である。
【図１７】本発明の一実施例による通信装置のブロック構成図である。
【発明を実施するための形態】
【００２３】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００２４】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。
【００２５】
また、本明細書では、基地局をＲＲＨ（ｒｅｍｏｔｅ  ｒａｄｉｏ  ｈｅａｄ）、ｅＮＢ、ＴＰ（ｔｒａｎｓｍｉｓｓｉｏｎ  ｐｏｉｎｔ）、ＲＰ（ｒｅｃｅｐｔｉｏｎ  ｐｏｉｎｔ）、中継機（ｒｅｌａｙ）などを含む包括的な名称として使うことができる。
【００２６】
図１は、３ＧＰＰ無線接続網の規格に基づく端末とＥ−ＵＴＲＡＮの間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）の構造を示す図である。制御プレーンは端末（Ｕｓｅｒ  Ｅｑｕｉｐｍｅｎｔ；ＵＥ）とネットワークが呼を管理するために用いる制御メッセージが送信される通路を意味する。ユーザプレーンはアプリケーション層で生成されたデータ、例えば、音声データ又はインターネットパケットデータなどが送信される通路を意味する。
【００２７】
第１の層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は上位にある媒体アクセス制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して連結される。この送信チャネルを介して媒体アクセス制御層と物理層の間でデータが移動する。送信側と受信側の物理層の間では物理チャネルを介してデータが移動する。物理チャネルは時間と周波数を無線リソースとして活用する。具体的には、物理チャネルは、下りリンクにおいて、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいては、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２８】
第２の層である媒体アクセス制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２の層のＲＬＣ層は信頼性のあるデータ送信を支援する。ＲＬＣ層の機能はＭＡＣ内部の機能ブロックにより具現化できる。第２の層のＰＤＣＰ（Ｐａｃｋｅｔ  Ｄａｔａ  Ｃｏｎｖｅｒｇｅｎｃｅ  Ｐｒｏｔｏｃｏｌ）層は帯域幅が狭い無線インターフェースにおいてＩＰｖ４或いはＩＰｖ６のようなＩＰパケットを効率的に送信するために不要な制御情報を減らすヘッダ圧縮（Ｈｅａｄｅｒ  Ｃｏｍｐｒｅｓｓｉｏｎ）の機能を果たす。
【００２９】
第３の層の最下部に位置する無線リソース制御（Ｒａｄｉｏ  Ｒｅｓｏｕｒｃｅ  Ｃｏｎｔｒｏｌ；ＲＲＣ）層は、制御プレーンでのみ定義される。ＲＲＣ層は無線ベアラ（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して論理チャネル、送信チャネル及び物理チャネルの制御を担当する。無線ベアラは端末とネットワークの間のデータ伝達のために第２の層により提供されるサービスを意味する。このために、端末とネットワークのＲＲＣ層は互いにＲＲＣメッセージを交換する。端末とネットワークのＲＲＣ層の間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）となり、そうではない場合はＲＲＣ休止状態（Ｉｄｌｅ  Ｍｏｄｅ）となる。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００３０】
ネットワークから端末にデータを送信する下り送信チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信され、又は別の下りＭＣＨ（Ｍｕｌｔｉｃａｓｔ  Ｃｈａｎｎｅｌ）を介して送信されることができる。なお、端末からネットワークにデータを送信する上り送信チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。送信チャネルの上位にありかつ送信チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３１】
図２は、３ＧＰＰシステムに用いられる物理チャネル及びこれらを用いた一般的な信号送信方法を説明する図である。
【００３２】
端末は、電源がオンになったり新たにセルに進入した場合は、基地局と同期を取るなどの初期セル探索（Ｉｎｉｔｉａｌ  ｃｅｌｌ  ｓｅａｒｃｈ）作業を行う（Ｓ２０１）。このために、端末は基地局から主同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及び副同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信することによって基地局と同期を取り、セルＩＤなどの情報を得ることができる。その後、端末は基地局から物理放送チャネル（Ｐｈｙｓｉｃａｌ  Ｂｒｏａｄｃａｓｔ  Ｃｈａｎｎｅｌ）を受信してセル内の放送情報を得ることができる。なお、端末は初期セル探索段階において下りリンク参照信号（Ｄｏｗｎｌｉｎｋ  Ｒｅｆｅｒｅｎｃｅ  Ｓｉｇｎａｌ；ＤＬ  ＲＳ）を受信して下りリンクチャネル状態を確認することができる。
【００３３】
初期セル探索を終了した端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）及び該ＰＤＣＣＨに載せられた情報によって物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を得ることができる（Ｓ２０２）。
【００３４】
一方、基地局に最初に接続したか或いは信号送信のための無線リソースがない場合は、端末は、基地局に対してランダムアクセス過程（Ｒａｎｄｏｍ  Ａｃｃｅｓｓ  Ｐｒｏｃｅｄｕｒｅ；ＲＡＣＨ）を行うことができる（Ｓ２０３〜Ｓ２０６）。このために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を介して特定シーケンスをプリアンブルとして送信し（Ｓ２０３及びＳ２０５）、ＰＤＣＣＨ及び対応するＰＤＳＣＨを介してプリアンブルに対する応答メッセージを受信することができる（Ｓ２０４及びＳ２０６）。競合ベースのＲＡＣＨの場合、さらに衝突解決手順（Ｃｏｎｔｅｎｔｉｏｎ  Ｒｅｓｏｌｕｔｉｏｎ  Ｐｒｏｃｅｄｕｒｅ）を行うことができる。
【００３５】
上述した手順を行った端末は、その後、一般的な上り／下りリンク信号送信の手順として、ＰＤＣＣＨ／ＰＤＳＣＨ受信（Ｓ２０７）及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）の送信（Ｓ２０８）を行う。特に、端末は、ＰＤＣＣＨを介して下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割り当て情報などの制御情報を含み、その使用目的に応じてフォーマットが互いに異なる。
【００３６】
一方、端末が上りリンクを通じて基地局に送信したり又は端末が基地局から受信したりする制御情報は、下り／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムの場合、端末は上述したＣＱＩ／ＰＭＩ／ＲＩなどの制御情報をＰＵＳＣＨ及び／又はＰＵＣＣＨを介して送信することができる。
【００３７】
図３は、ＬＴＥシステムで用いられる無線フレームの構造を例示する図である。
【００３８】
図３を参照すると、無線フレーム（ｒａｄｉｏ  ｆｒａｍｅ）は１０ｍｓ（３２７２００×Ｔｓ）の長さを有し、１０個の均等なサイズのサブフレーム（ｓｕｂｆｒａｍｅ）で構成されている。それぞれのサブフレームは１ｍｓの長さを有し、２個のスロット（ｓｌｏｔ）で構成されている。それぞれのスロットは０．５ｍｓ（１５３６０×Ｔｓ）の長さを有する。ここで、Ｔｓはサンプリング時間を表し、Ｔｓ＝１／（１５ｋＨｚ×２０４８）＝３．２５５２×１０−８（約３３ｎｓ）で表示される。スロットは時間領域において複数のＯＦＤＭシンボルを含み、周波数領域において複数のリソースブロック（Ｒｅｓｏｕｒｃｅ  Ｂｌｏｃｋ；ＲＢ）を含む。ＬＴＥシステムにおいて一つのリソースブロックは１２個の副搬送波×７（６）個のＯＦＤＭシンボルを含む。データの送信される単位時間であるＴＴＩ（Ｔｒａｎｓｍｉｓｓｉｏｎ  Ｔｉｍｅ  Ｉｎｔｅｒｖａｌ）は一つ以上のサブフレーム単位で定めることができる。上述した無線フレームの構造は例示に過ぎず、無線フレームに含まれるサブフレームの数、サブフレームに含まれるスロットの数、又はスロットに含まれるＯＦＤＭシンボルの数は様々に変更されてもよい。
【００３９】
図４は、従来のＬＴＥ／ＬＴＥ−Ａシステムにおけるランダムアクセスプリアンブルフォーマットを例示する図である。
【００４０】
従来のＬＴＥ／ＬＴＥ−Ａシステムにおけるランダムアクセスプリアンブル、即ち、ＲＡＣＨプリアンブルは、物理層において長さＴＣＰのサイクリックプレフィックス（ｃｙｃｌｉｃ ｐｒｅｆｉｘ）及び長さＴＳＥＱのシーケンスからなる。パラメータ値ＴＣＰのＴＳＥＱは以下の表にリストされており、フレーム構造とランダムアクセス設定（ｃｏｎｆｉｇｕｒａｔｉｏｎ）に依存する。プリアンブルフォーマットは上位層により制御される。３ＧＰＰ  ＬＴＥ/ＬＴＥ−Ａシステムにおけるセルのシステム情報及び移動性制御情報によってＰＲＡＣＨ設定情報をシグナリングする。前記ＰＲＡＣＨ設定情報は、該当セル内のＲＡＣＨ過程に用いられる、ルートシーケンスインデックス、Ｚａｄｏｆｆ−Ｃｈｕシーケンスの循環シフト単位ＮＣＳ、ルートシーケンスの長さ、プリアンブルフォーマットなどを示す。３ＧＰＰ  ＬＴＥ／ＬＴＥ−Ａシステムにおいて、プリアンブルフォーマット、及びＲＡＣＨプリアンブルが送信可能な時期であるＰＲＡＣＨ機会（ｏｐｐｏｒｔｕｎｉｔｙ）は、前記ＲＡＣＨ設定情報の一部であるＰＲＡＣＨ設定インデックスによって指示される（３ＧＰＰ  ＴＳ  ３６．２１１のセクション５．７及び３ＧＰＰ  ＴＳ  ３６．３３１の「ＰＲＡＣＨ−Ｃｏｎｆｉｇ」を参照）。ＲＡＣＨプリアンブルに用いられるＺＣシーケンスの長さは、プリアンブルフォーマットで定められている（表４を参照）。
【００４１】
【表１】
2020502923.tif 000003
【００４２】
ＬＴＥ／ＬＴＥ−ＡシステムにおけるＲＡＣＨプリアンブルはＵＬサブフレームから送信される。ランダムアクセスプリアンブルの送信は、特定の時間及び周波数リソースに制限（ｒｅｓｔｒｉｃｔ）される。このようなリソースをＰＲＡＣＨリソースと呼び、ＰＲＡＣＨリソースは、インデックス０が無線フレームにおいて低い番号のＰＲＢ及びサブフレームに対応するように、該無線フレーム内のサブフレーム番号と、周波数ドメインにおいてＰＲＢの増加順で番号付けられる。ランダムアクセスリソースがＰＲＡＣＨ設定インデックスで定義される（３ＧＰＰ  ＴＳ  ３６．２１１標準文書を参照）。ＰＲＡＣＨ設定インデックスは（ｅＮＢによって送信される）上位層信号によって与えられる。 ＲＡＣＨプリアンブルのうち、シーケンス（以下、プリアンブルシーケンス）はＺａｄｏｆｆ−Ｃｈｕシーケンスを用いる。ＲＡＣＨのためのプリアンブルシーケンスは、１つ又は複数のルートＺａｄｏｆｆ−Ｃｈｕシーケンスから生成された、ゼロ相関ゾーンを有するＺａｄｏｆｆ−Ｃｈｕシーケンスから生成される。ネットワークは、ＵＥが使用することが許容（ａｌｌｏｗ）されるプリアンブルシーケンスのセットを設定（ｃｏｎｆｉｇｕｒｅ）する。従来のＬＴＥ／ＬＴＥ−Ａシステムにおいて、各々のセル内で利用可能な６４個のプリアンブルシーケンスがある。セル内の６４個のプリアンブルシーケンスのセットは、先ず、増加する（ｉｎｃｒｅａｓｉｎｇ）循環シフト（ｃｙｃｌｉｃ  ｓｈｉｆｔ）の手順（ｏｒｄｅｒ）で、論理（ｌｏｇｉｃａｌ）インデックスＲＡＣＨ＿ＲＯＯＴ＿ＳＥＱＵＥＮＣＥを有するルートＺａｄｏｆｆ−Ｃｈｕシーケンスの利用可能な全ての循環シフトを含ませることによって見つかる（ｆｏｕｎｄ）。ここで、ＲＡＣＨ＿ＲＯＯＴ＿ＳＥＱＵＥＮＣＥは（該当セルの）システム情報の一部としてブロードキャストされる。６４個のプリアンブルシーケンスが単一ルートＺａｄｏｆｆ−Ｃｈｕシーケンスから生成できない場合、前記６４個のプリアンブルシーケンスの全てが見つかるまで追加（ａｄｄｉｔｉｏｎａｌ）プリアンブルシーケンスが連続的（ｃｏｎｓｅｃｕｔｉｖｅ）論理インデックスを有するルートシーケンスから得られる（ｏｂｔａｉｎ）。該論理ルートシーケンスの手順（ｏｒｄｅｒ）は循環的（ｃｙｃｌｉｃ）であり、論理インデックス０が論理インデックス８３７に連続する。論理ルートシーケンスインデックスと物理ルートシーケンスインデックスｕとの関係は、プリアンブルフォーマット０−３に対しては表２によって与えられ、プリアンブルフォーマット４に対しては表３によって与えられる。
【００４３】
【表２−１】
2020502923.tif 000004
【００４４】
【表２−２】
2020502923.tif 000005
【００４５】
【表２−３】
2020502923.tif 000006
【００４６】
【表３】
2020502923.tif 000007
【００４７】
ｕ番目のルートＺａｄｏｆｆ−Ｃｈｕシーケンスは次式で定義される。
【００４８】
【数１】
2020502923.tif 000008
【００４９】
前記Ｚａｄｏｆｆ−Ｃｈｕシーケンスの長さＮＺＣは、下記の表によって与えられる。
【００５０】
【表４】
2020502923.tif 000009
【００５１】
前記ｕ番目ルートＺａｄｏｆｆ−Ｃｈｕシーケンスから、長さＮＺＣ−１のゼロ相関ゾーンを有するランダムアクセスプリアンブルが、ｘｕ,ｖ（n） = ｘｕ（（ｎ＋Ｃｖ） ｍｏｄ ＮＺＣ）による循環シフトによって定義される。ここで、前記循環シフトは次式で与えられる。
【００５２】
【数２】
2020502923.tif 000010
【００５３】
ＮＣＳは、プリアンブルフォーマット０〜３に対して表５によって与えられ、プリアンブルフォーマット４に対して表６によって与えられる。
【００５４】
【表５】
2020502923.tif 000011
【００５５】
【表６】
2020502923.tif 000012
【００５６】
パラメータｚｅｒｏＣｏｒｒｅｌａｔｉｏｎＺｏｎｅＣｏｎｆｉｇは上位層によって提供される。上位層によって提供されるパラメータＨｉｇｈ−ｓｐｅｅｄ−ｆｌａｇは、制限されていない（ｕｎｒｅｓｔｒｉｃｔｅｄ）セット又は制限された（ｒｅｓｔｒｉｃｔｅｄ）セットの使用を決定する。変数（ｖａｒｉａｂｌｅ）ｄｕは、大きさ１／ＴＳＥＱのドップラーシフトに該当する循環シフトであり、次式で与えられる。
【００５７】
【数３】
2020502923.tif 000013
【００５８】
ｐは、（ｐｕ）ｍｏｄ ＮＺＣ＝１を満たす（ｆｕｌｆｉｌ）最小（ｓｍａｌｌｅｓｔ）の負ではない整数である。循環シフトの制限されたセットに対するパラメータはｄｕに依存する。ＮＺＣ≦ｄｕ<ＮＺＣ／３に対して、パラメータは以下のように与えられる。
【００５９】
【数４】
2020502923.tif 000014
【００６０】
NZC／3≦du＜（NZC−NCS）／2に対して、パラメータが以下のように与えられる。
【００６１】
【数５】
2020502923.tif 000015
【００６２】
ｄｕの全ての他の値に対して、制限されたセット内に何ら循環シフトがない。
【００６３】
ＲＡＣＨの基底帯域（ｂａｓｅｂａｎｄ）信号である時間−連続（ｔｉｍｅ−ｃｏｎｔｉｎｕｏｕｓ）ランダムアクセス信号ｓ（ｔ）は、次式で定義される。
【００６４】
【数６】
2020502923.tif 000016
【００６５】
ここで、０≦ｔ＜ＳＥＱ−ＴＣＰ、βＰＲＡＣＨは３ＧＰＰ  ＴＳ  ３６．２１３に特定された送信電力ＰＰＲＡＣＨに一致させる（ｃｏｎｆｏｒｍ）ための振幅（ａｍｐｌｉｔｕｄｅ）スケーリング因子（ｆａｃｔｏｒ）であり、ｋ０＝ｎＲＡＰＲＢＮＲＢｓｃ−ＮＵＬＲＢＮＲＢｓｃ／２である。ＮＲＢｓｃは、１つのＲＢを成す副搬送波の数を示す。ＮＵＬＲＢは、ＵＬスロットにおけるＲＢの数を示し、ＵＬ送信帯域幅に依存する。周波数ドメイン内の位置（ｌｏｃａｔｉｏｎ）は、３ＧＰＰ  ＴＳ  ３６．２１１のセクション５．７．１から導出（ｄｅｒｉｖｅ）される、パラメータｎＲＡＰＲＢによって制御される。因子（ｆａｃｔｏｒ）Ｋ＝Δｆ／ΔｆＲＡは、ランダムアクセスプリアンブルと上りリンクデータ送信の間の副搬送波間隔の差を説明する（ａｃｃｏｕｎｔ  ｆｏｒ）。ランダムアクセスプリアンブルのための副搬送波間隔である変数ΔｆＲＡと物理リソースブロック内の前記ランダムアクセスプリアンブルの周波数＝ドメイン位置を決定する固定した（ｆｉｘｅｄ）オフセットである変数φは以下の表によって与えられる。
【００６６】
【表７】
2020502923.tif 000017
【００６７】
ＬＴＥ/ＬＴＥ−Ａシステムにおいて副搬送波間隔Δｆは、１５ｋＨｚ又は７．５ｋＨｚであるが、表７のように、ランダムアクセスプリアンブルのための副搬送波間隔ΔｆＲＡは、１．２５ｋＨｚ又は０．７５ｋＨｚである。
【００６８】
図５は、ＲＡＣＨリソースを設定する方法を説明するための図である。図５を参照すると、基地局からＳＳ（Ｓｙｎｃｈｒｏｎｉｚａｔｉｏｎ  Ｓｉｇｎａｌ）及びＲＡＣＨ送信に必要な情報を取得したＵＥは、ＲＡＣＨ送信に必要な情報に基づいて設定された時間及び周波数リソースを用いてＲＡＣＨプリアンブルシーケンス（Ｐｒｅａｍｂｌｅ  ｓｅｑｕｅｎｃｅ）を送信する。従来のＬＴＥシステムでは、ＲＡＣＨが発生可能なスロット（Ｓｌｏｔ）及び時間に対するレイアウト（ｌａｙｏｕｔ）又はＲＡＣＨ設定が定義されている。
【００６９】
一方、Ｎｅｗ  ＲＡＴシステムは、７００ＭＨｚ帯域の低い周波数帯域から最大１００ＧＨｚの非常に高い周波数帯域までも支援可能なことと予想されるため、ＬＴＥとは異なり、ＳＳＢ（Ｓｙｎｃｈｒｏｎｉｚａｔｉｏｎ  Ｓｉｇｎａｌ  Ｂｌｏｃｋ）の中心周波数（ｃｅｎｔｅｒ  ｆｒｅｑｕｅｎｃｙ）がシステム周波数帯域幅全体のなかにおいて流動的に変動できる。よって、Ｎｅｗ  ＲＡＴシステムでは、ＵＥがＲＡＣＨを送信可能なＲＡＣＨ時間−周波数リソース（ｔｉｍｅ−ｆｒｅｑｕｅｎｃｙ  ｒｅｓｏｕｒｃｅ）を明示的にＵＥに指示することもできるが、ＳＳＢが送信されるリソースと暗示的（ｉｍｐｌｉｃｉｔ）に関連付けることができ、ＵＥが暗示的（ｉｍｐｌｉｃｉｔ）に受信したＳＳＢを介してＲＡＣＨ時間−周波数リソースの位置がどこであるかを検出することができる。
【００７０】
換言すれば、図５のように、ＲＡＣＨの時間リソースはＳＳＢが送信される時間リソースから特定のオフセットを置いて割り当てられることができ、ＲＡＣＨの周波数リソースはＳＳＢが送信された位置から特定のオフセットを割り当てることができる。
【００７１】
図５において、Ｔｏｆｆｓｅｔ（ｔ）はＳＳＢが送信されるサブフレーム番号、即ち、ＳＳＢが送信される時間とＳＳＢを介してＵＥが検出したセルＩＤの関数である。同様に、Ｆｏｆｆｓｅｔ（ｔ）はＳＳＢが送信されるサブフレーム番号、即ち、ＳＳＢが送信される時間とＳＳＢが送信される周波数（ｆ）及びＵＥが検出したセルＩＤの関数である。換言すれば、Ｔｏｆｆｓｅｔ（ｔ）＝Ｆｕｎｃｔｉｏｎ（ｔ，ｃｅｌｌ  ＩＤ）、Ｆｏｆｆｓｅｔ（ｔ）＝Ｆｕｎｃｔｉｏｎ（ｔ，ｆ，ｃｅｌｌ  ＩＤ）の関数である。
【００７２】
このような方法によって、ＲＡＣＨリソースはセル特定（ｃｅｌｌ−ｓｐｅｃｉｆｉｃ）に設定することができるが、ＳＳＢが送信された時間／周波数リソースとＵＥが検出したセルＩＤによる関数でＲＡＣＨ周波数リソースをＵＥが取得（ｄｅｒｉｖｅ）することができる。即ち、該当ＲＡＣＨ時間／周波数オフセット値がセルＩＤによる関数になる。ＰＳＳ、ＳＳＳ及びＰＢＣＨを含むＳＳＢが複数のビーム方向に送信される場合、このようなセル特定（ｃｅｌｌ−ｓｐｅｃｉｆｉｃ）ＲＡＣＨリソースをビーム共通に又はビーム特定に設定することができる。例えば、ＲＡＣＨリソースの時間リソースをＳＳＢが送信されるサブフレームと関連付け、ビーム共通に設定することができる。即ち、Ｔｏｆｆｓｅｔ（ｔ）＝Ｆｕｎｃｔｉｏｎ（ｔ，ｃｅｌｌ  ＩＤ）というとき、ｔの単位をサブフレーム単位（例えば、サブフレーム番号）に設定して、ビーム共通に設定することができる。
【００７３】
一方、ＲＡＣＨリソースの時間リソースをＳＳＢが送信されるシンボルと関連付け、ビーム特定に設定することができる。即ち、Ｔｏｆｆｓｅｔ（ｔ）＝Ｆｕｎｃｔｉｏｎ（ｔ，ｃｅｌｌ  ＩＤ）というとき、ｔの単位をビームが送信されるシンボル単位（例えば、サブフレーム番号及びシンボル番号）にビーム特定に設定することができる。
【００７４】
ＲＡＣＨリソース設定（ｃｏｎｆｉｇｕｒａｔｉｏｎ）によって、ＲＡＣＨ送信時間−周波数リソースの他にも、ＲＡＣＨプリアンブルインデックス、ＲＡＣＨプリアンブル送信電力、ＲＡ−ＲＮＴＩなどのＲＡＣＨプリアンブルシーケンスに関する情報が送信されることができる。このとき、ＲＡＣＨリソース設定（Ｃｏｎｆｉｇｕｒａｔｉｏｎ）はＰＢＣＨを介して伝達できる。換言すれば、基本的なシステム情報（ｅｓｓｅｎｔｉａｌ  ｓｙｓｔｅｍ  ｉｎｆｏｒｍａｔｉｏｎ）としてＲＡＣＨリソース設定（ｃｏｎｆｉｇｕｒａｔｉｏｎ）情報が送信されることができる。また、基本的なシステム情報（ｅｓｓｅｎｔｉａｌ  ｓｙｓｔｅｍ  ｉｎｆｏｒｍａｔｉｏｎ）には、上述したＲＡＣＨリソース設定に関する情報の他に、ＵＬ／ＤＬ制御チャネル及びＵＬ／ＤＬデータチャネルの送受信のために用いられるニューマロロジーに関する情報がさらに含まれてもよい。このニューマロロジーには、副搬送波間隔（ｓｕｂｃａｒｒｉｅｒ  ｓｐａｃｉｎｇ）、ＣＰ長、サブフレーム長、シンボル長、１つのサブフレームに含まれたシンボルの数に関する情報などが含まれてもよい。さらに、ＵＬ／ＤＬの周波数帯域は異なることがあるため、ＵＬ／ＤＬシステム帯域情報がさらに含まれてもよい。
【００７５】
以下、チャネル状態情報（ｃｈａｎｎｅｌ  ｓｔａｔｅ  ｉｎｆｏｒｍａｔｉｏｎ，ＣＳＩ）の報告について説明する。現在、ＬＴＥ標準では、チャネル状態情報無しで運用される開ループ（ｏｐｅｎ-ｌｏｏｐ）ＭＩＭＯと、チャネル状態情報に基づいて運用される閉ループ（ｃｌｏｓｅｄ-ｌｏｏｐ）ＭＩＭＯという２つの送信方法が存在する。特に、閉ループＭＩＭＯでは、ＭＩＭＯアンテナの多重化利得（多重化ｇａｉｎ）を得るために、基地局及び端末のそれぞれは、チャネル状態情報に基づいてビームフォーミングを行うことができる。基地局は、チャネル状態情報を端末から得るために、端末にＰＵＣＣＨ（Ｐｈｙｓｉｃａｌ  Ｕｐｌｉｎｋ  Ｃｏｎｔｒｏｌ  ＣＨａｎｎｅｌ）又はＰＵＳＣＨ（Ｐｈｙｓｉｃａｌ  Ｕｐｌｉｎｋ  Ｓｈａｒｅｄ  ＣＨａｎｎｅｌ）を割り当てて、下りリンク信号に対するチャネル状態情報（ＣＳＩ）をフィードバックするように命令する。
【００７６】
ＣＳＩは、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｅｘ）、ＣＱＩ（Ｃｈａｎｎｅｌ  Ｑｕａｌｉｔｙ  Ｉｎｄｉｃａｔｉｏｎ）の３つの情報に大別される。先ず、ＲＩは、上述のように、チャネルのランク情報を示し、端末が同一の周波数−時間リソースによって受信できるストリーム数を意味する。また、ＲＩは、チャネルの長期フェーディング（ｌｏｎｇ  ｔｅｒｍ  ｆａｄｉｎｇ）によって決定されるため、通常、ＰＭＩ、ＣＱＩ値よりも長い周期で基地局にフィードバックされる。
【００７７】
次に、ＰＭＩはチャネルの空間特性を反映した値であって、ＳＩＮＲなどのメトリック（ｍｅｔｒｉｃ）を基準として端末が選好する基地局のプリコーディング行列インデックスを示す。最後に、ＣＱＩはチャネルの強度を示す値であって、通常、基地局がＰＭＩを用いるときに得られる受信ＳＩＮＲのことを意味する。
【００７８】
３ＧＰＰ  ＬＴＥ−Ａシステムにおいて、基地局は、複数のＣＳＩプロセスをＵＥに設定して、各ＣＳＩプロセスに対するＣＳＩが報告される。ここで、ＣＳＩプロセスは、基地局からの信号品質の特定のためのＣＳＩ−ＲＳリソースと干渉測定のためのＣＳＩ−ＩＭ（ｉｎｔｅｒｆｅｒｅｎｃｅ  ｍｅａｓｕｒｅｍｅｎｔ）リソース、即ち、ＩＭＲ（ｉｎｔｅｒｆｅｒｅｎｃｅ  ｍｅａｓｕｒｅｍｅｎｔ  ｒｅｓｏｕｒｃｅ）で構成される。
【００７９】
Ｍｉｌｌｉｍｅｔｅｒ  Ｗａｖｅ（ｍｍＷ）では波長が短くなるため、同一面積に多数のアンテナ要素の設置が可能である。具体的には、３０ＧＨｚ帯域において波長は１ｃｍであって、４  ｂｙ  ４ｃｍのパネル（ｐａｎｅｌ）に０．５ｌａｍｂｄａ（波長）間隔で２Ｄ（ｄｉｍｅｎｓｉｏｎ）配列である全６４（８×８）のアンテナ要素を設けることができる。これにより、ｍｍＷ分野における最近の動向では、多数のアンテナ要素を使用してＢＦ（ｂｅａｍｆｏｒｍｉｎｇ）利得を上げてカバレッジを増加させたり、或いはスループット（ｔｈｒｏｕｇｈｐｕｔ）を増加させたりすることを試みている。
【００８０】
このとき、アンテナ要素別に送信パワー及び位相の調節ができるように、ＴＸＲＵ（Ｔｒａｎｓｃｅｉｖｅｒ  Ｕｎｉｔ）を備えると、周波数リソース別に独立したビームフォーミングが可能である。しかし、１００個余りの全てのアンテナ要素にＴＸＲＵを設けることは費用面で実効性に乏しいという問題がある。従って、１つのＴＸＲＵに多数のアンテナ要素をマッピングし、アナログ位相シフタ（ａｎａｌｏｇ  ｐｈａｓｅ  ｓｈｉｆｔｅｒ）でビーム方向を調節する方法が考えられている。かかるアナログビームフォーミング方法では全帯域において１つのビーム方向のみが形成できるので、周波数選択的なビームフォーミングができないというデメリットがある。
【００８１】
デジタルＢＦとアナログＢＦの中間形態として、Ｑ個のアンテナ要素より少ない数のＢ個のＴＸＲＵを有するハイブリッドＢＦが考えられる。この場合、Ｂ個のＴＸＲＵとＱ個のアンテナ要素の接続方法によって差はあるが、同時に送信可能なビームの方向はＢ個以下に制限される。
【００８２】
図６は、ＴＸＲＵとアンテナ要素の接続方法の一例を示す図である。
【００８３】
図６（ａ）は、ＴＸＲＵがサブアレイ（ｓｕｂ−ａｒｒａｙ）に接続された方法を示している。この場合、アンテナ要素は１つのＴＸＲＵにのみ接続される。これとは異なり、図６（ｂ）は、ＴＸＲＵが全てのアンテナ要素に接続された方法を示している。この場合、アンテナ要素は全てのＴＸＲＵに接続される。図６において、Ｗはアナログ位相シフタにより乗じられる位相ベクトルを示す。即ち、Ｗによってアナログビームフォーミングの方向が決定される。ここで、ＣＳＩ−ＲＳアンテナポートとＴＸＲＵとのマッピングは１−ｔｏ−１又は１−ｔｏ−多である。
【００８４】
より多い通信機器がより大きい通信容量を要求することにより、既存のＲＡＴ（ｒａｄｉｏ  ａｃｃｅｓｓ  ｔｅｃｈｎｏｌｏｇｙ）に比べて向上した無線広帯域通信に対する必要性が台頭しつつある。また、複数の機器及びモノを連結していつでもどこでも様々なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）が次世代通信において考慮される主なイッシュの１つである。のみならず、信頼度（ｒｅｌｉａｂｉｌｉｔｙ）及びレイテンシ（ｌａｔｅｎｃｙ）に敏感なサービス／ＵＥを考慮した通信システムデザインが提示されている。これを考慮した次世代ＲＡＴの導入が論議されており、本発明では、便宜のために、Ｎｅｗ  ＲＡＴ（以下、ＮＲ）と称する。
【００８５】
ＴＤＤシステムにおいてデータ送信レイテンシを最小化するために第５世代Ｎｅｗ  ＲＡＴでは、図７のような自己完備型（Ｓｅｉｆ−ｃｏｎｔａｉｎｅｄ）サブフレームの構造を考慮している。図７は、自己完備型サブフレームの構造の一例を示す図である。
【００８６】
図７において、斜線領域は下りリンク制御領域を示し、黒塗り領域は上りリンク制御領域を示す。表示のない領域は、下りリンクデータ送信のために用いられてよく、上りリンクデータ送信のために用いられてもよい。この構造の特徴は、１つのサブフレームにおいて下りリンク送信と上りリンク送信とが順次に行われ、サブフレーム内で下りリンクデータを送信したり、上りリンクＡＣＫ／ＮＡＣＫを受信したりすることもできる。結果として、データ送信エラーが発生したとき、データの再送信までかかる時間を減らすことになり、これによって最終データ伝達のレイテンシを最小化することができる。
【００８７】
このような自己完備型サブフレーム構造において、基地局とＵＥが送信モードから受信モードに切り替えられる過程、又は受信モードから送信モードに切り替えられる過程のためには、時間間隙（ｔｉｍｅ  ｇａｐ）が必要である。そのために、自己完備型サブフレーム構造において、下りリンクから上りリンクに切り替えられる時点の一部のＯＦＤＭシンボル（ＯＦＤＭ  ｓｙｍｂｏｌ；ＯＳ）がＧＰ（ｇｕａｒｄ  ｐｅｒｉｏｄ）として設定される。
【００８８】
ＮｅｗＲＡＴをベースとして動作するシステムにおいて、構成／設定が可能な上述した自己完備型サブフレームタイプの一例として、少なくとも以下のような４つのサブフレームタイプが考えられる。
【００８９】
−  下りリンク制御区間＋下りリンクデータ区間＋ＧＰ＋上りリンク制御区間
【００９０】
−  下りリンク制御区間＋下りリンクデータ区間
【００９１】
−  下りリンク制御区間＋ＧＰ＋上りリンクデータ区間＋上りリンク制御区間
【００９２】
−  下りリンク制御区間＋ＧＰ＋上りリンクデータ区間
【００９３】
上述のように、Ｎｅｗ  ｒａｔ（ＮＲ）システムは、７００ＭＨｚ帯域の低い周波数帯域から最大１００ＧＨｚの非常に高い周波数帯域を支援する。また、従来のＬＴＥシステムにおいて、中心に位置する６ＲＢ、即ち、中心の７２副搬送波において、ＲＡＣＨプリアンブル送信に必要な情報が送信されるＳＳＢが送信されたこととは異なり、ＮＲシステムでは、ＳＳＢの送信帯域の位置がシステム帯域の中心に位置しなくてもよい。
【００９４】
一方、本発明では、ＩＤＬＥ状態のＵＥがＳＳＢから周波数取得（ｆｒｅｑｕｅｎｃｙ  ａｃｑｕｉｓｉｔｉｏｎ）を行うため、ＳＳＢの位置及びシステム帯域幅に基づいて、ＲＡＣＨプリアンブルが送信可能な周波数リソース（ｆｒｅｑｕｅｎｃｙ  ｒｅｓｏｕｒｃｅ）のレイアウト又は周波数リソース設定（ｃｏｎｆｉｇｕｒａｔｉｏｎ）方法について提案する。
【００９５】
ＮＲでは、基地局のビーム数に応じて複数のＳＳブロックが形成されて送信されることができる。また、各々のＳＳブロックごとに固有のインデックスを有することができ、ＵＥはＰＳＳ／ＳＳＳを検出してＰＢＣＨをデコードすることで、該当ＰＳＳ／ＳＳＳ／ＰＢＣＨが属するＳＳブロックのインデックスを類推することができる。この後、基地局が送信するシステム情報にはＲＡＣＨ設定情報が含まれるが、このＲＡＣＨ設定情報は、複数のＲＡＣＨリソースに対するリスト、複数のＲＡＣＨリソースを識別するための情報、及び各ＲＡＣＨリソースとＳＳブロックに対する連結情報を含むことができる。
【００９６】
上述では、ＲＡＣＨリソースをＵＥがＰＲＡＣＨプリアンブルを送信可能な時間／周波数リソースに限定したが、これと同様に、後述でもＲＡＣＨリソースは時間／周波数リソースに限定される。以下、時間軸におけるＲＡＣＨ位置のみならず、周波数軸におけるＲＡＣＨ位置を指示するための方法まで説明する。上述において、１つのＲＡＣＨリソースは、１つ以上のＳＳブロックと連結され、時間軸に連続しているＲＡＣＨリソースをＲＡＣＨリソースセットに定義したことがある。時間軸のみならず、周波数軸に連続している複数のＲＡＣＨリソースセットを１つのＲＡＣＨリソースブロックと定義する。
【００９７】
図８は、ＲＡＣＨリソースブロックを例示する図である。
【００９８】
図８のように、ＲＡＣＨリソースブロックは、ＲＡＣＨリソースが集合している１つの時間／周波数チャンクとして定義され、ＲＡＣＨリソースブロック内のそれぞれのＲＡＣＨリソースは、時間／周波数の位置によって決定される固有のインデックスを有する。
【００９９】
ＲＡＣＨリソースブロック内のＲＡＣＨリソースインデックスは、所定の規則に従ってマッピングされる。例えば、周波数−時間の手順又は時間−周波数の手順でＲＡＣＨリソースインデックスが与えられる。例えば、図２１を参照すると、周波数−時間の手順の場合、ＲＡＣＨリソースブロック内のＲＡＣＨリソースが以下のようにインデックスされる。
【０１００】
−  ＲＡＣＨリソース ＃０ （時間、周波数）： （０,０）、
【０１０１】
−  ＲＡＣＨリソース ＃１： （１, ０）
【０１０２】
−  ＲＡＣＨリソース ＃２： （２, ０）
【０１０３】
ここで、ＲＡＣＨリソースブロックにおいて時間軸の長さの単位は、ＲＡＣＨプリアンブルフォーマットによって決定されて、周波数軸の長さの単位は、ＲＡＣＨリソース帯域幅（例えば、１．０８ＭＨｚ）又はリソースブロックグループ（Ｒｅｓｏｕｒｃｅ Ｂｌｏｃｋ Ｇｒｏｕｐ, ＲＢＧ）単位によって決定されることができる。
【０１０４】
ＲＡＣＨプリアンブルは、長さ８３９の長いシーケンス（Ｌｏｎｇ  ｓｅｑｕｅｎｃｅ）を用いるＲＡＣＨプリアンブルと、長さ１２７又は長さ１３９の短いシーケンス（Ｓｈｏｒｔ  ｓｅｑｕｅｎｃｅ）を用いるＲＡＣＨプリアンブルといった２種類のＲＡＣＨプリアンブルに定義される。長いシーケンスＲＡＣＨプリアンブルの副搬送波間隔（ｓｕｂｃａｒｒｉｅｒ  ｓｐａｃｉｎｇ）としては１．２５ｋＨｚ及び５ｋＨｚが用いられ、このとき、ＲＡＣＨプリアンブル送信帯域幅は、それぞれ１．０８ＭＨｚ及び４．３２ＭＨｚが用いられる。
【０１０５】
一方、短いシーケンスＲＡＣＨプリアンブルの副搬送波間隔（ｓｕｂｃａｒｒｉｅｒ  ｓｐａｃｉｎｇ）としては１５ｋＨｚ、３０ｋＨｚ又は６０ｋＨｚが用いられ、送信帯域幅は２．１６ＭＨｚ、４．３２ＭＨｚ又は８．８４Ｍｈｚが用いられる。データチャネルの副搬送波間隔が１５ｋＨｚである場合、スロット長は１ｍｓと定義される。この場合、周波数軸のＲＢグリッド（ｇｒｉｄ）は１５ｋＨｚの副搬送波間隔単位で定義されることができ、長いシーケンスＲＡＣＨプリアンブルの周波数軸の候補位置は、１５ｋＨｚの副搬送波間隔によるＲＢグリッドによって定義されることができる。例えば、１．０８ＭＨｚと４．３２ＭＨｚは１５ｋＨｚの副搬送波間隔ではそれぞれ６ＲＢと２４ＲＢとなる。
【０１０６】
以下、本発明では、周波数軸においてＲＡＣＨリソースを設定する２つの方法について説明する。即ち、ＮＲにおいてＵＥがＲＲＣ接続（ｃｏｎｎｅｃｔｉｏｎ）を成す前にＲＡＣＨを試みるため、ＵＥが全体システム帯域及びＲＢインデックスが認識できなかった状態でＲＡＣＨを送信可能であるという仮定に基づいて実施例１を説明して、ＵＥがＲＢ及びＲＢＧ情報をいずれも知っているという仮定に基づいて実施例２を説明する。
【０１０７】
＜実施例１：ＲＡＣＨリソース帯域幅単位の割り当て方法＞
【０１０８】
実施例１では、上述のように、ＵＥがシステム帯域に対するＲＢインデックス情報を知らないと仮定する。即ち、実施例１では、基本的に、ＳＳＢの帯域幅及びＲＡＣＨの帯域幅を基準としてＵＥにＲＡＣＨの周波数リソースをシグナルする方法を提案しようとする。ＵＥがＰＳＳ／ＳＳＳを検出する場合、ＳＳＢの帯域幅とＲＡＣＨの帯域幅を容易に知ることができるため、ＳＳＢの帯域幅及びＲＡＣＨの帯域幅を基準としてＲＡＣＨの周波数リソースをシグナルすることができる。
【０１０９】
以下、本発明の説明に必要な２つの変数を
2020502923.tif 000018
及び
2020502923.tif 000019
と定義する。
2020502923.tif 000020
はＳＳＢの帯域幅を意味して、
2020502923.tif 000021
はＲＡＣＨの帯域幅を意味して、ＲＡＣＨの帯域幅は、図９（ａ）のように表される。
【０１１０】
実施例１−１．ＳＳＢの帯域幅内にＲＡＣＨリソースを指示する方法
【０１１１】
通常のＴＤＤシステムにおけるＲＡＣＨ手順のためには、ＳＳＢが送信される帯域内にＲＡＣＨリソースを限定することが好ましい。さらに、ＳＳＢの帯域幅内でＲＡＣＨが送信されるべき更なる状況に備えて実施例１−１を考慮する必要がある。このとき、ＳＳＢの帯域幅がＲＡＣＨの帯域幅より大きく、図１０（ａ）のように、ＳＳＢの帯域幅は、Ｍ個のＲＡＣＨ帯域幅に区分できる。このとき、制限されたＳＳＢ帯域幅内においてＲＡＣＨリソースを設定する方法には、以下のオプション１−１及びオプション１−２がある。
【０１１２】
（１）オプション１−１：ＲＡＣＨの基本副搬送波（ｄｅｆａｕｌｔ  ｓｕｂｃａｒｒｉｅｒ）単位を用いた周波数オフセットを活用した指示方法
【０１１３】
上述のように、基本的に、ＲＡＣＨの帯域幅又はＳＳＢの帯域幅は、それぞれの副搬送波によってそのサイズが変動される。ＳＳＢ帯域幅内でＲＡＣＨ帯域幅を指す開始オフセットは、
2020502923.tif 000022
個に表現できる。ここで、
2020502923.tif 000023
はＲＡＣＨの副搬送波間隔（ｓｕｂｃａｒｒｉｅｒ  ｓｐａｃｉｎｇ）を示す。
【０１１４】
よって、図９（ｂ）のように、ＳＳＢ帯域幅の最上位又は最下位を基準として、ＲＡＣＨの副搬送波単位に基づいたオフセット指定が可能である。一方、オフセットで指定する方法の他に、ＳＳＢ帯域幅内で複数のＲＡＣＨ周波数リソースのそれぞれに対する指定が可能であるが、この場合、ＵＥの複雑性が増加する可能性があり、複数のＲＡＣＨ周波数リソースのそれぞれに関する情報を送信するために多数のビットが必要であり、これによってシグナリングオーバーヘッドが増加する可能性もある。
【０１１５】
（２）オプション１−２：ＲＡＣＨの周波数帯域幅単位でＲＡＣＨ周波数リソースを指示する方法
【０１１６】
ＳＳＢ帯域幅は、周波数領域において、図１０（ａ）のように、ＳＳＢ帯域幅の最上位又は最下位を基準としてＭ個のＲＡＣＨ帯域幅で表現される。このとき、ＳＳＢ帯域幅は、ＲＡＣＨ帯域幅の整数倍に正確に等分されない可能性があり、この場合、等分されない残りはＲＡＣＨリソースとして考慮されない。
【０１１７】
オプション１−２は、ＲＡＣＨの副搬送波を基準としてオフセットを指定するオプション１−１とは異なり、ＲＡＣＨ帯域幅を基準としてＲＡＣＨリソースを設定する方法である。オプション１−２は、ＳＳＢ帯域幅の最上位又は最下位を基準として、図１０（ａ）のように、区分されたＭ個のリソース領域に対して、０からＭ−１の値にＲＡＣＨリソースを指定する第１の方法と、図１０（ｂ）のように、ＳＳＢ帯域幅の中心周波数（ｃｅｎｔｅｒ  ｆｒｅｑｕｅｎｃｙ）を基準としてＲＡＣＨリソースを指定する第２の方法によって適用可能である。第２の方法の場合、ＵＥが受信したＲＡＣＨリソースインデックスを被除数として、除数２を取った余りと商でその位置を検出することができる。第２の方法を適用するためには、
2020502923.tif 000024
のビット数が必要である。
【０１１８】
一方、オプション１−１の場合、ＳＳＢよりサイズの小さいＲＡＣＨブロックを基本単位として、システム帯域幅全体に基づいて設定したため、オプション１−２に比べて、カバレッジの観点から大きいかもしれないが、用いられるビット数は顕著に大きくなる。
【０１１９】
また、実施例１−１は、システム帯域幅全体又はＳＳＢ帯域幅という制限された領域内に対してフレキシブル（ｆｌｅｘｉｂｌｅ）にＲＡＣＨのための周波数リソースの設定が可能であるというメリットがある。
【０１２０】
実施例１−２．ＳＳＢの帯域幅以外の領域でＲＡＣＨリソースを指示する方法
【０１２１】
システムの柔軟性及びリソース活用の効率性の増加などのために、ＳＳＢの帯域幅以外の領域でＲＡＣＨリソースを指示することができる。但し、ＦＤＤの場合、ＲＡＣＨリソースの周波数位置を明示的に指定する必要がある。
【０１２２】
システム帯域幅全体の中においてＲＡＣＨを送信する周波数領域に対して、図１１（ａ）のように、中心周波数を中心としてＮ（偶数倍）個のＳＳＢ帯域幅だけＲＡＣＨリソースを割り当てることができる。このとき、Ｎ個のＳＳＢ帯域幅は、システム帯域幅全体と同一又は小さくてもよい。
【０１２３】
Ｎ個のＳＳＢ帯域幅は、Ｎ個のインデックスでインデックスされ、１つのＳＳＢ帯域幅内においてオプション１−２を適用して、ＲＡＣＨ周波数リソースを割り当てることができる。
【０１２４】
このとき、Ｎ個のＳＳＢ帯域幅の周波数領域に対するインデックスは、中心周波数を基準として、図１１（ａ）のように、上下に順次与えられる。
【０１２５】
これに基づいて、基地局は（ＳＳｂｌｏｃｋｂａｎｄｗｉｄｔｈｉｎｄｅｘ、ＲＡＣＨｂｌｏｃｋｂａｎｄｗｉｄｔｈｉｎｄｅｘ）情報、即ち、（０〜Ｎ、０〜Ｍ−１）情報を送信する。また、図１１（ｂ）のように、ＵＥは受信されたＳＳブロック帯域幅インデックス（ＳＳ  ｂｌｏｃｋ  ｂａｎｄｗｉｄｔｈ  ｉｎｄｅｘ）を２で除したときの余りが０である場合、中心周波数の上側領域でＲＡＣＨリソースを探し、１である場合、中心周波数の下側領域でＲＡＣＨリソースを探す。さらに、２で除したときの商に該当する分だけ前記余りに応じて、中心周波数より上側領域又は下側領域にシフトすると、該当ＳＳＢ帯域幅の周波数位置が把握できる。その後、ＲＡＣＨブロック帯域幅インデックスによって正確な位置が把握できる。上述した実施例１−２は、ＲＡＣＨ周波数リソースを指示するために、
2020502923.tif 000025
ビット数が必要である。
【０１２６】
＜実施例２：ＲＢＧ（Ｒｅｓｏｕｒｃｅ  Ｂｌｏｃｋ  Ｇｒｏｕｐ）単位のＲＡＣＨリソース割り当て方法＞
【０１２７】
実施例２では、ＵＥがシステム全体に対するＲＢ情報を知っていると仮定するときのＲＡＣＨリソース割り当て方法について説明する。即ち、ＵＥは、ＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）として送信される副搬送波間隔（ｓｕｂｃａｒｒｉｅｒ  ｓｐａｃｉｎｇ）を基準としてＲＢに関する情報を取得することができる。このとき、ＲＢ及びＲＢＧは、図１２（ａ）のように、それぞれ
2020502923.tif 000026
個の副搬送波と、
2020502923.tif 000027
個のＲＢで定義されることができる。
【０１２８】
図１２（ａ）のＲＢＧを基準として周波数領域を割り当てるとき、考慮される帯域幅領域は、図１３のようである。即ち、ＳＳＢの帯域幅と同一範囲でＲＡＣＨ周波数リソースが割り当てられることができる。また、ＳＳＢ帯域幅よりは大きく、且つシステム帯域幅よりは小さい領域であるＵＥ最小帯域幅（ＵＥ  ｍｉｎｉｍｕｍ  ｂａｎｄｗｉｄｔｈ）又はＲＭＳＩに関するＤＣＩを伝達する制御チャネルに対するリソース領域であるＣＯＲＥＳＥＴ（Ｃｏｎｔｒｏｌ  Ｒｅｓｏｕｒｃｅ  Ｓｅｔ）領域の帯域幅の範囲でＲＡＣＨ周波数リソースが割り当てられることができる。ここで、ＵＥ最小帯域幅に関する情報は、ＲＭＳＩを介して伝達可能である。或いは、システム帯域幅全体の範囲でＲＡＣＨ周波数リソースが割り当てられてもよい。
【０１２９】
換言すれば、図１３のように、システム帯域幅全体のサイズが最も大きく、ＵＥ最小帯域幅又はＣＯＲＥＳＥＴ領域は、システム帯域幅全体に含まれ、システム帯域幅全体の一部として設定されることができる。即ち、ＵＥ最小帯域幅又はＣＯＲＥＳＥＴ領域は、システム帯域幅全体の中で設定されることができ、場合によって、複数のＵＥ最小帯域幅又はＣＯＲＥＳＥＴ領域がシステム帯域幅全体の中に設定されてもよい。
【０１３０】
同様に、ＳＳＢ帯域幅は、ＵＥ最小帯域幅内に含まれ、ＵＥ最小帯域幅の一部として設定されることができる。但し、ＳＳＢ帯域幅は、そのサイズがＵＥ最小帯域幅より小さくても、ＳＳＢ帯域幅の位置はＵＥ最小帯域幅とは区分される位置に設定されることができる。しかし、この場合にも、ＳＳＢ帯域幅はシステム帯域幅全体の中に設定されることが好ましい。
【０１３１】
実施例２では、上述した３つの場合について、それぞれの周波数の割り当て方法を説明する。
【０１３２】
実施例２−１．システム帯域幅全体の中においてＲＡＣＨリソースを指示する方法
【０１３３】
実施例２−１は、システム帯域幅全体において周波数リソースを割り当てる方法である。システム帯域幅全体は、図１２（ｂ）のように、
2020502923.tif 000028
個のＲＢＧに分けられ、このとき、
2020502923.tif 000029
個のＲＢＧは中心周波数を基準として設定（ｃｏｎｆｉｇｕｒａｔｉｏｎ）される。
【０１３４】
（１）オプション２−１：中心周波数を基準としてＲＡＣＨ周波数リソースを割り当てる方法
【０１３５】
全体システム帯域は
2020502923.tif 000030
個のＲＢＧで定義され、全体システム帯域が
2020502923.tif 000031
個のＲＢＧで除して余りが残る場合、残りのリソース領域はＲＡＣＨ周波数リソースとして割り当てられない。
【０１３６】
即ち、オプション２−１は、ＲＢＧ単位を基本としてオフセットである
2020502923.tif 000032
値を指定して、周波数リソースを割り当てるものである。オプション２−１には、
2020502923.tif 000033
の最上位又は最下位を基準として、図１４（ａ）のように、区分された
2020502923.tif 000034
個に対して０から
2020502923.tif 000035
−１の値にインデックスする第１の方法と、図１４（ｂ）のように、中心周波数を基準としてインデックスする第２の方法がある。第２の方法の場合、上述したオプション１−２の第２の方法と同様であるため、詳しい説明は省略する。第２の方法の場合、モジュロ（ｍｏｄｕｌｏ）演算を用いるため、第１の方法に比べて少ないビット数でその情報を伝達することができる。
【０１３７】
（２）オプション２−２：ＳＳＢ帯域幅の中心周波数を基準としてＲＡＣＨ周波数リソースを割り当てる方法
【０１３８】
オプション２−１で定義されるシステム帯域幅全体が大きい場合、ＵＥの複雑性（ｃｏｍｐｌｅｘｉｔｙ）が増加する可能性がある。これを補完するために、ＲＡＣＨ送信前にデコードされたＳＳＢの周波数情報を用いて、システム帯域幅全体の中において、より柔軟にリソースを割り当てることができる方法を提案する。
【０１３９】
即ち、図１４（ｃ）のように、デコードされたＳＳＢの中心周波数を基準として、上述したオプション２−１の第２の方法を適用して、周波数リソースを割り当てることができる。
【０１４０】
実施例２−２．ＵＥ最小帯域幅又はＣＯＲＥＳＥＴ内においてＲＡＣＨリソースを指示する方法
【０１４１】
実施例２−１の場合、システム帯域幅全体の領域を考慮して、ＲＡＣＨリソース割り当てに関する情報が表現されるため、システム帯域幅全体が小さい場合には適するかもしれないが、システム帯域幅全体が大きい場合には、数多くのビットが必要である。上述ではＵＥ最小帯域幅とＣＯＲＥＳＥＴについて定義した。このとき、ＵＥはＳＳＢの中心周波数を基準として、上述のように、ＲＭＳＩを介して
2020502923.tif 000036
を取得したり、ＰＢＣＨを介して
2020502923.tif 000037
の値を取得したりして、取得した情報に基づいてオプション２−１の第１の方法又は第２の方法と同様な方法によってＲＡＣＨ周波数リソースを指示することができる。即ち、実施例２−２において、設定されるＵＥの最小帯域幅は、ＵＥがＲＡＣＨ又はＲＡＣＨプリアンブルを送信するために、基地局のシグナリングによって設定された帯域幅であってもよく、ＲＭＳＩを介して前記設定された帯域幅内にいくつかのＲＡＣＨ周波数リソースが割り当てられるかを設定することができる。
【０１４２】
図１５（ａ）は、ＵＥ最小帯域幅内においてオプション２−１の第１の方法を活用してＲＡＣＨ周波数リソースを指示する方法であり、図１５（ｂ）は、ＵＥ最大帯域幅内においてオプション２−２の第２の方法を活用してＲＡＣＨ周波数リソースを指示する方法である。
【０１４３】
実施例２−３．ＳＳＢの帯域幅内においてＲＡＣＨリソースを指示する方法
【０１４４】
実施例２−３は、ＲＡＣＨ周波数割り当て領域をＳＳＢと一致させて、ＵＥは検出されたＳＳＢの帯域幅内でＲＡＣＨを送信可能な方法であって、ＵＥに設定可能な帯域幅のうち、最初の帯域幅を基準としてＲＡＣＨ周波数リソースを設定する方法である。実施例２−３には、最上位又は最下位を基準としたオフセット
2020502923.tif 000038
値を伝達する第３の方法と、モジュロ値を伝達する第４の方法、及び第３の方法と第４の方法を柔軟に活用可能なハイブリッド（ｈｙｂｒｉｄ）方法がある。図１６は、第３の方法と第４の方法が適用された実施例を示す。ハイブリッドタイプの設定（ｃｏｎｆｉｇｕｒａｔｉｏｎ）方法は、
2020502923.tif 000039
のような値を伝達して、最上位／最下位又は中心周波数を開始点と指定せず、流動的に周波数リソースを指定することができる。
【０１４５】
図１７を参照すると、通信装置１７００は、プロセッサ１７１０、メモリ１７２０、ＲＦモジュール１７３０、ディスプレイモジュール１７４０、及びユーザインターフェースモジュール１７５０を備えている。一方、本発明において、ＲＦユニットは、トランシーバとも呼ばれる。
【０１４６】
通信装置１７００は説明の便宜のために示されたもので、一部のモジュールは省略されてもよい。また、通信装置１７００は必要なモジュールをさらに備えてもよい。また、通信装置１７００において一部のモジュールはより細分化したモジュールに区分されてもよい。プロセッサ１７１０は、図面を参照して例示した本発明の実施例に係る動作を実行するように構成される。具体的に、プロセッサ１７１０の詳細な動作は、図１乃至図１６に記載された内容を参照すればよい。
【０１４７】
メモリ１７２０は、プロセッサ１７１０に接続し、オペレーティングシステム、アプリケーション、プログラムコード、データなどを格納する。ＲＦモジュール１７３０は、プロセッサ１７１０に接続し、基底帯域信号を無線信号に変換したり、無線信号を基底帯域信号に変換する機能を果たす。そのために、ＲＦモジュール１７３０は、アナログ変換、増幅、フィルタリング及び周波数アップ変換又はこれらの逆過程を行う。ディスプレイモジュール１７４０は、プロセッサ１７１０に接続し、様々な情報をディスプレイする。ディスプレイモジュール１７４０は、特に制限されるものではなく、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザインターフェースモジュール１７５０は、プロセッサ１７１０に接続し、キーパッド、タッチスクリーンなどのような周知のユーザインターフェースの組み合わせで構成可能である。
【０１４８】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０１４９】
本文書で基地局によって行われるとした特定の動作は、場合によってはその上位ノード（ｕｐｐｅｒ  ｎｏｄｅ）によって行われることもある。即ち、基地局を含む複数のネットワークノード（ｎｅｔｗｏｒｋ  ｎｏｄｅｓ）からなるネットワークにおいて端末との通信のために行われる様々な動作は、基地局又は基地局以外の他のネットワークノードによって行われ得ることは明らかである。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）などの用語にしてもよい。
【０１５０】
本発明に係る実施例は、様々な手段、例えば、ハードウェア、ファームウェア（ｆｉｒｍｗａｒｅ）、ソフトウェア又はそれらの結合などによって具現化することができる。ハードウェアによる具現化では、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現化することができる。
【０１５１】
ファームウェアやソフトウェアによる具現化では、本発明の一実施例は、以上で説明された機能又は動作を実行するモジュール、手順、関数などの形態で具現化されてもよい。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０１５２】
本発明は、本発明の特徴から逸脱しない範囲で別の特定の形態に具体化できるということが当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更はいずれも本発明の範囲に含まれる。
【産業上の利用可能性】
【０１５３】
上述のようなランダムアクセスチャネルを送受信する方法及びそのための装置は、第５世代ＮｅｗＲＡＴシステムに適用される例を中心として説明したが、第５世代ＮｅｗＲＡＴシステムの他にも様々な無線通信システムに適用することができる。
【図１（Ａ）】
2020502923.tif 000040
【図１（Ｂ）】
2020502923.tif 000041
【図２】
2020502923.tif 000042
【図３】
2020502923.tif 000043
【図４】
2020502923.tif 000044
【図５】
2020502923.tif 000045
【図６（ａ）】
2020502923.tif 000046
【図６（ｂ）】
2020502923.tif 000047
【図７】
2020502923.tif 000048
【図８】
2020502923.tif 000049
【図９（ａ）】
2020502923.tif 000050
【図９（ｂ）】
2020502923.tif 000051
【図１０（ａ）】
2020502923.tif 000052
【図１０（ｂ）】
2020502923.tif 000053
【図１１（ａ）】
2020502923.tif 000054
【図１１（ｂ）】
2020502923.tif 000055
【図１２（ａ）】
2020502923.tif 000056
【図１２（ｂ）】
2020502923.tif 000057
【図１３】
2020502923.tif 000058
【図１４（ａ）】
2020502923.tif 000059
【図１４（ｂ）】
2020502923.tif 000060
【図１４（ｃ）】
2020502923.tif 000061
【図１５（ａ）】
2020502923.tif 000062
【図１５（ｂ）】
2020502923.tif 000063
【図１６】
2020502923.tif 000064
【図１７】
2020502923.tif 000065
【国際調査報告】
2020502923.tif 000066
2020502923.tif 000067
2020502923.tif 000068
2020502923.tif 000069